(57)【要約】【課題】定期検査作業中において、原子炉建屋内オペレーションフロア上の作業における作業スペースおよび装置または治工具の設置スペースを、タービン建屋または別の建屋に移動することを必要としない方法を提供することにある。【解決手段】本発明は、原子炉建屋内オペレーションフロアのドライヤセパレータプール上に作業床を設置する。その際、本作業床は、設定および撤去に天井クレーンを使用しない構造とする。本発明によれば、ドライヤセパレータプール上の空間を、作業スペースおよび装置または治工具の設置スペースとして有効に活用することができ、原子炉建屋オペレーティングフロア上の作業性を向上させることが可能である。また、作業床の設定および撤去に天井クレーンを使用しないため、他の作業との工程調整が不要となり、従事者の作業量を低減することが可能である。したがって、プラントの稼働率向上に大いに寄与できるものである。【選択図】図２
2007271405.tif 000002
【特許請求の範囲】
【請求項１】
原子炉建屋内オペレーティングフロア上の定期検査作業において、ドライヤセパレータプール上を作業エリアとして使用可能とすることを特徴とする作業床。
【請求項２】
請求項１において、重量物をのせることが可能なように、十分な強度をもった材料によって構成されることを特徴とする作業床。
【請求項３】
請求項１又は２において、十分な遮へい機能を有することを特徴とする作業床。
【請求項４】
請求項１乃至３の何れかにおいて、ドライヤセパレータプール上を移動することが可能であることを特徴とする作業床。
【請求項５】
請求項１乃至４の何れかにおいて、作業床として使用しない期間は、ドライヤセパレータプール上の一部のエリアに保管することが可能であることを特徴とする作業床。
【請求項６】
請求項５において、ドライヤセパレータプール上の一部のエリアに保管する際に、作業床を立てた状態で保管することを特徴とする作業床。
【請求項７】
請求項５において、作業床をドライヤセパレータプール上の一部のエリアに保管したままの状態で、ドライヤおよびセパレータを原子炉内からドライヤセパレータプールへ、またはドライヤセパレータプールから原子炉内へ移動することが可能であることを特徴とする作業床。
【請求項８】
請求項４において、作業床の移動手段として原子炉建屋内の天井クレーンを使用しないことを特徴とする作業床。
【請求項９】
請求項４において、作業床の移動手段として専用ウインチを使用することを特徴とする作業床。
【請求項１０】
請求項４において、作業床の移動に際し、既存の燃料交換機用レールを使用することを特徴とする作業床。
【発明の詳細な説明】
【技術分野】
【０００１】
本発明は、定期検査作業における、原子炉建屋内オペレーティングフロア上の作業エリア拡大のための作業床に関するものである。
【背景技術】
【０００２】
原子力発電所の定期検査作業中における、原子炉建屋内オペレーティングフロア上の作業において、多種多様な機器がオペレーティングフロア上に設置され作業エリアに制限があることから、作業が輻輳した場合は、作業工程および作業エリアの調整を実施している。
【０００３】
オペレーティングフロア上での作業に使用する装置または治工具について、オペレーティングフロア上に作業および設置スペースを確保できない場合は、タービン建屋または別の建屋に運搬し、作業および設置をしている。
【０００４】
その際、原子炉建屋内の天井クレーンを使用して装置または治工具の搬出入を実施するため、他の定期検査作業で天井クレーンを使用しない時期に実施する必要があり、かつ、オペレーティングフロアおよび大物搬入口周辺の作業エリアの調整を要している。
【０００５】
また、原子炉運転中にドライヤセパレータプール上に設置する既存のカバーは、そのカバー上を作業スペースおよび装置または治工具の設置スペースとして利用することを想定しておらず、十分な強度を持っていないため、ドライヤセパレータプール上の空間を有効利用することができない。
【発明の開示】
【発明が解決しようとする課題】
【０００６】
定期検査作業中において、原子炉建屋内オペレーションフロア上の作業における作業スペースおよび装置または治工具の設置スペースを原子炉建屋オペレーションフロア内に確保し、タービン建屋または別の建屋に移動することを必要としない方法を提供することにある。
【課題を解決するための手段】
【０００７】
上記の目的を達成するために、本発明は、原子炉建屋内オペレーションフロアのドライヤセパレータプール上に移動式の作業床を設置する。
【発明の効果】
【０００８】
本発明によれば、ドライヤセパレータプール上の空間を、作業スペースおよび装置または治工具の設置スペースとして有効に活用することができ、原子炉建屋オペレーティングフロア上の作業性を向上させることが可能である。また、作業床の設定および撤去に天井クレーンを使用しないため、他の作業との工程調整が不要となり、従事者の作業量を低減することが可能である。
【０００９】
したがって、プラントの稼働率向上に大いに寄与できるものである。
【発明を実施するための最良の形態】
【００１０】
以下、本発明の好適な実施形態について、添付図面を参照して詳細に説明する。図１から図４は、本発明に係わる実施例を示すものである。
【実施例１】
【００１１】
図１は、原子力発電所の原子炉建屋内オペレーションフロアの平面図を示す。１はドライヤセパレータプールで、定期検査作業中に原子炉内構造物の一部であるドライヤとセパレータを保管するエリアである。原子炉建屋内オペレーションフロアの床面には、原子炉ウェル２，使用済み燃料貯蔵プール３，ドライヤセパレータプール１の両側に燃料交換機用レール４が敷設されている。
【００１２】
図２は、本発明によるドライヤセパレータ上に設置する作業床５を設置した状態の平面図を示す。作業床５は、複数の車輪６を介して燃料交換機用レール４上、または、オペレーションフロア上に別に設置したレール上、または、オペレーションフロア上に設置される。また、作業床５は十分な強度を有し、重量物をのせることが可能であり、作業床上面を作業スペースおよび装置または治工具の設置スペースとして使用することが可能である。さらに、作業床５は、定期検査中にドライヤセパレータプール内、つまり作業床５下側に保管されるドライヤおよびセパレータからの放射線に対し、十分な遮へい機能を有する。
【００１３】
図３は、作業床５を設置した状態の側面図を示す。ドライヤセパレータプールの原子炉建屋壁７側のオペレーションフロア上に架台８が固定され、作業床５の一端は、架台８の下端付近の回転軸９に接続されている。作業床５の中央部付近の両側にはワイヤ１０が接続されており、もう一方は架台８上に固定されたウインチ１１に巻きつけられている。架台８には昇降設備１２があり、ウインチ１１の操作およびメンテナンス作業が可能な構造となっている。
【００１４】
図４は、作業床５の収納および設置動作状況を示す。作業床５を作業床として使用しない場合、架台８上に固定されたウインチ１１によりワイヤ１０を操作し、作業床５の中央付近のヒンジ１３を折りたたむことにより車輪６が燃料交換機用レール４上を移動し、作業床５は架台８下端付近の回転軸９を中心に架台８側に引き寄せられ、保管することが可能である。その際、作業床５を保管した状態で、ドライヤおよびセパレータを原子炉内からドライヤセパレータプールへ、またはドライヤセパレータプールから原子炉内へ移動することが可能な構造となっている。また、作業床５を作業床として使用する場合は、上記の逆手順の操作により、作業床５の設置作業が可能である。または、１枚から数枚で構成される作業床を、天井クレーン、または、別に設置するガントリークレーン等の揚重設備によりドライヤセパレータプール１上へ設置または復旧をしてもよい。
【００１５】
上述のように、ドライヤセパレータプール１上に作業床５を設置し、作業スペースおよび装置または治工具の設置スペースとして有効利用することにより原子炉建屋オペレーティングフロア上の作業性を向上させることが可能であり、また、作業床５の設置および収納の際に、専用のウインチ１１を使用し原子炉建屋内の天井クレーンを使用する必要が無いため、天井クレーンを必要とする他の作業との作業調整または工程調整が不要となることから、従事者の作業量を低減することが可能である。
【図面の簡単な説明】
【００１６】
【図１】原子力発電所の原子炉建屋内オペレーションフロアの平面図。
【図２】作業床を設置した状態の平面図。
【図３】作業床を設置した状態の側面図。
【図４】作業床の収納および設置動作状況を示す図。
【符号の説明】
【００１７】
１…ドライヤセパレータプール、２…原子炉ウェル、３…使用済み燃料貯蔵プール、４…燃料交換機用レール、５…作業床、６…車輪、７…原子炉建屋の壁、８…架台、９…回転軸、１０…ワイヤ、１１…ウインチ、１２…昇降設備、１３…ヒンジ。
【図１】
2007271405.tif 000003
【図２】
2007271405.tif 000004
【図３】
2007271405.tif 000005
【図４】
2007271405.tif 000006